【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層の前記成形面より広く、
前記第１の樹脂層および前記第２の樹脂層の少なくとも一方の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子。
【請求項２】
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層に覆われており、
前記第２の樹脂層の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子。
【請求項３】
前記第１の樹脂層の前記成形面が、光軸を中心とした光学有効径外に位置する円の円周上に位置する変曲点から前記成形面の外周である終端部に向かって厚みが薄くなるテーパ部を備えていることを特徴とする請求項２に記載の回折光学素子。
【請求項４】
前記第２の樹脂層の前記成形面が平坦な部分を有していることを特徴とする請求項１〜３のいずれか一項に記載の回折光学素子。
【請求項５】
前記第１の樹脂層および前記第２の樹脂層の少なくとも一方のテーパ部上に膜厚が５μｍ以上の遮光層が形成されていることを特徴とする請求項１または３に記載の回折光学素子。
【請求項６】
前記第１の樹脂層および前記第２の樹脂層の少なくとも一方のテーパ部の表面が粗面であることを特徴とする請求項１または３に記載の回折光学素子。
【請求項７】
前記第１の樹脂層および前記第２の樹脂層の少なくとも一方のテーパ部の表面が凹凸形状を有していることを特徴とする請求項１または３に記載の回折光学素子。
【請求項８】
請求項１〜７のいずれか一項に記載の回折光学素子を備えた光学機器。
【請求項９】
請求項１〜７のいずれか一項に記載の回折光学素子を備えたカメラ。
【手続補正２】
【補正対象書類名】明細書
【補正対象項目名】０００８
【補正方法】変更
【補正の内容】
【０００８】
上記課題を解決するため、本出願の第一の観点に係る発明は、ガラス基板と、格子を成形する第１の樹脂層と、平坦化を行う第２の樹脂層を光軸方向に順に積層してなり、該第１の樹脂層と該第２の樹脂層の間に回折格子を有する回折光学素子であって、該第１の樹脂層の光学有効径外の成形面と該第１の樹脂層の外周面との交線、および該第２の樹脂層の光学有効径外の成形面と該第２の樹脂層の外周面との交線の各々が、光軸からの距離を同じくする変曲点の連続からなっており、該第１の樹脂層と該第２の樹脂層の各々が該各変曲点から径外周方向に向けて該第１の樹脂層と該第２の樹脂層の各々の膜厚が次第に薄くなるテーパ部を備えており、かつ該各テーパ部の終端部の膜厚が５μｍ以上５０μｍ未満であることを特徴とする。
上記構成において、テーパ部の始点である「変曲点の連続」は、以下の実施例の記載や上記構成中における「径」という表現の使用から考えて、円周上に位置することが明らかであることから、本出願の第一の観点に係る発明は、
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層の前記成形面より広く、
前記第１の樹脂層および前記第２の樹脂層の少なくとも一方の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子と表現することもできる。
また、本出願の第二の観点に係る発明は、
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層に覆われており、
前記第２の樹脂層の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子である。
【手続補正３】
【補正対象書類名】明細書
【補正対象項目名】００１４
【補正方法】変更
【補正の内容】
【００１４】
上述したように、本出願の第一の観点に係る発明は、ガラス基板と、格子を成形する第１の樹脂層と、平坦化を行う第２の樹脂層を光軸方向に順に積層してなり、該第１の樹脂層と該第２の樹脂層の間に回折格子を有する回折光学素子であって、該第１の樹脂層の光学有効径外の成形面と該第１の樹脂層の外周面との交線、および該第２の樹脂層の光学有効径外の成形面と該第２の樹脂層の外周面との交線の各々が、光軸からの距離を同じくする変曲点の連続からなっており、該第１の樹脂層と該第２の樹脂層の各々が該各変曲点から径外周方向に向けて該第１の樹脂層と該第２の樹脂層の各々の膜厚が次第に薄くなるテーパ部を備えており、かつ該各テーパ部の終端部の膜厚が５μｍ以上５０μｍ未満であることを特徴とする。
上述したように、上記構成において、テーパ部の始点である「変曲点の連続」は、以下の実施例の記載や上記構成中における「径」という表現の使用から考えて、円周上に位置することが明らかであることから、本出願の第一の観点に係る発明は、
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層の前記成形面より広く、
前記第１の樹脂層および前記第２の樹脂層の少なくとも一方の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子と定義することもできる。
また、上述したように、本出願の第二の観点に係る発明は、
ガラス基板と、
前記ガラス基板上に設けられ、格子を有する成形面を備える第１の樹脂層と、
前記第１の樹脂層上に設けられ、前記第１の樹脂層と接しない成形面を備える第２の樹脂層と、が順に積層され、
前記第１の樹脂層と前記第２の樹脂層との間に回折格子を有する回折光学素子であって、
前記第１の樹脂層の前記成形面は、前記第２の樹脂層に覆われており、
前記第２の樹脂層の前記成形面が、光軸を中心とした光学有効径外に位置する円の円周上に位置する変曲点から前記成形面の外周である終端部に向かって厚みが薄くなるテーパ部を備えており、
前記終端部の厚みが５μｍ以上５０μｍ未満であることを特徴とする回折光学素子である。以下、かかる特徴を有する本発明の実施形態を図面を参照して詳細に説明する。